(57)【要約】      （修正有）【課題】電解水生成装置にて生成される酸性水、アルカリ性水、酸性水とアルカリ性水を混合してなる電解生成混合水を注出する電解水注出装置であって、各電解生成水を、電解水注出装置の同一の注出口から選択的に注出可能とする電解水注出装置を提供する。【解決手段】酸性水およびアルカリ性水を導入する第１，第２の導入管６１ａ，６１ｂ、これらの連結部位に直交状に連結する導出管６１ｃを備える電解水注出装置であって、当該連結部位に、当該連結部位から導出管の基端部に臨んで第１，第２の導入管の互いの連通を遮断する遮断部材６４を設けて、第１の導入管から導出管への酸性水の導入、第２の導入管から導出管へのアルカリ性水の導入、および、第１の導入管から導出管への酸性水と、第２の導入管から導出管へのアルカリ性水との同時の導入を、遮断部材の遮断作用によって円滑にした。【選択図】図５
2011005424.tif 000002
【特許請求の範囲】
【請求項１】
有隔膜電解式の電解水生成装置にて生成される特性を異にする電解生成水を選択的に注出する電解水注出装置であり、当該電解水注出装置は、前記電解水生成装置にて生成される電解生成酸性水を注出する注出管路に連結される第１の導入管と、前記電解水生成装置にて生成される電解生成アルカリ性水を注出する注出管路に連結される第２の導入管と、前記第１の導入管と前記第２の導入管に連結する導出管を備え、前記導出管は前記第１の導入管と前記第２の導入管が互いに連結されている連結部位に直交状に連結されていて、当該連結部位には、前記第１の導入管と前記第２の挿入管内を直交状に延びて前記導出管の基端部内に臨んで前記両導入管の互いの連通を遮断する遮断部材を備えていることを特徴とする電解水注出装置。
【請求項２】
請求項１に記載の電解水注出装置であり、当該電解水注出装置においては、前記第１の導入管の途中に介装された第１の開閉弁と、前記第２の導入管の途中に介装された第２の開閉弁を備え、前記第１の開閉弁および前記第２の開閉弁の選択的、または、同期的開閉動作によって、前記導出管を前記第１の導入管と前記第２の導入管に選択的にまたは同時に連通させて、前記導出管の先端側の注出口から前記各電解生成水を選択的にまたは混合した状態で注出させることを特徴とする電解水注出装置。
【請求項３】
請求項２に記載の電解水注出装置であり、当該電解水注出装置においては、前記第１の開閉弁および前記第２の開閉弁は電磁開閉弁であって、自動的な開閉動作により、前記第１の導入管路と前記第２の導入管を前記導出管に選択的にまたは同時に連通させることを特徴とする電解水注出装置。
【請求項４】
請求項２に記載の電解水注出装置であり、当該電解水生成装置においては、前記第１の導入管と前記第２の導入管が連結する連結部位に、外部から貫通して前記導出管の基端部内に臨んで同導出管内に水を供給する水導入管を備え、必要時には、前記水導水管を通して前記導出管内に水を導入するようにしたことを特徴とする電解水注出装置。
【発明の詳細な説明】
【技術分野】
【０００１】
本発明は、有隔膜電解式の電解水生成装置にて生成される特性を異にする電解生成水を選択的に注出するための電解水注出装置に関する。
【背景技術】
【０００２】
電解水注出装置は、電解水生成装置にて生成された電解生成水をユーザの使用に供するためのもので、電解水生成装置にて生成される電解生成水の注出管路の先端部に接続されて、ユーザの使用場所である手洗い用シンク、台所用シンク、厨房用シンク等に設置される（特許文献１を参照）。
【０００３】
特許文献１にて提案されている電解水注出装置は、有隔膜式の電解水生成装置の陰極側電解室にて生成されるアルカリイオン水（電解生成アルカリ性水）を注出するもので、電解水注出装置は電解水生成装置が有するアルカリイオン水専用の注出管路に接続されていて、台所用シンクの上側壁に設置されている。アルカリイオン水は、当該電解水注出装置が有する注出ノズル等注出口から、シンクに向けて注出される。なお、当該電解水生成装置の陽極側電解室にてアルカリイオン水と同期して生成される酸性水（電解生成酸性水）は、電解水注出装置が有する注出口とは異なる注出口から注出または排水されるように構成されている。
【先行技術文献】
【特許文献】
【０００４】
【特許文献１】特開平１１−３３５５１号公報
【発明の概要】
【発明が解決しようとする課題】
【０００５】
ところで、有隔膜電解式の電解水生成装置においては、電解生成酸性水と電解生成アルカリ性水とが同期的に生成される。これらの電解生成酸性水や電解生成アルカリ性水、および、これらの電解生成酸性水と電解生成アルカリ性水を互いに混合してなる次亜塩素酸ナトリウム水溶液は、互いに異なる特性を有するため、異なる用途に使用される。なお、以下では、上記した次亜塩素酸ナトリウム水溶液を、電解生成混合水と簡略することがある。
【０００６】
例えば、当該電解水生成装置の有隔膜電解槽の陽極側電解室にて生成される電解生成酸性水は、ｐＨが低くて優れた殺菌作用を有することから、手洗いの際の殺菌洗浄や、各種の食材や食器類等の殺菌洗浄に使用される。また、有隔膜電解槽の陰極側電解室にて生成される電解生成アルカリ性水は、ｐＨが高くて優れた洗浄作用を有することから、手洗いの際の汚れを落とす洗浄（清浄化洗浄）や、各種の食材や食器類等の清浄化洗浄に使用される。また、これらの電解生成酸性水と電解生成アルカリ性水を互いに混合してなる電解生成混合水は、中性〜弱アルカリ性であって殺菌作用を有するとともに、殺菌能を有する塩素成分の揮発性が低くて殺菌作用の残存性が高いことから、殺菌作用の持続が要望される食材等の殺菌洗浄に使用される。
【０００７】
このため、電解水注出装置の設置場所では、上記した各電解生成水がそれぞれ使い分けされることがあり、この場合には、各電解生成水を電解水注出装置の同じ注出口から、要望に応じた特性の電解生成水を、選択的に注出させるようにすることが要請される。
【０００８】
従って、本発明の目的は、このような要請に対処することにあるが、特に、各電解生成水を電解水注出装置の同じ注出口から選択的に注出させる場合には、選択された電解生成水が安定した状態で円滑に注出し、また、電解生成混合水を注出させる場合には、電解生成酸性水と電解生成アルカリ性水とが設定された混合比率で特性が安定した状態で円滑に注出するようにすることにある。
【課題を解決するための手段】
【０００９】
本発明は、電解水注出装置に関する。本発明が適用対象とする電解水注出装置は、有隔膜電解式の電解水生成装置にて生成される特性を異にする電解生成水を選択的に注出するための電解水注出装置である。
【００１０】
しかして、本発明に係る電解水注出装置は、前記電解水生成装置にて生成される電解生成酸性水を注出する注出管路に連結される第１の導入管と、前記電解水生成装置にて生成される電解生成アルカリ性水を注出する注出管路に連結される第２の導入管と、前記第１の導入管と前記第２の導入管に連結する導出管を備え、前記導出管は前記第１の導入管と前記第２の導入管が互いに連結されている連結部位に直交状に連結されていて、当該連結部位には、前記第１の導入管と前記第２の挿入管内を直交状に延びて前記導出管の基端部内に臨んで前記両導入管の互いの連通を遮断する遮断部材を備えていることを特徴とするものである。
【００１１】
本発明に係る電解水注出装置においては、前記第１の導入管の途中に介装された第１の開閉弁と、前記第２の導入管の途中に介装された第２の開閉弁を備え、前記第１の開閉弁および前記第２の開閉弁の選択的、または、同期的開閉動作によって、前記導出管を前記第１の導入管と前記第２の導入管に選択的にまたは同時に連通させて、前記導出管の先端側の注出口から前記各電解生成水を選択的にまたは混合した状態で注出させる構成とすることができる。
【００１２】
この場合、前記第１の開閉弁および前記第２の開閉弁を電磁開閉弁として、これらの電磁開閉弁を自動的に開閉動作させることにより、前記第１の導入管路と前記第２の導入管を前記導出管に選択的にまたは同時に連通させるようにすることができる。
【００１３】
また、本発明に係る電解水注出装置においては、前記第１の導入管と前記第２の導入管が連結する連結部位に、外部から貫通して前記導出管の基端部内に臨んで同導出管内に水を供給する水導入管を備える構成として、必要時には、前記水導入管を通して前記導出管内に水を導入するようにすることができる。
【発明の効果】
【００１４】
本発明に係る電解水注出装置においては、電解生成酸性水および電解生成アルカリ性水は、電解生成水の供給源である電解水生成装置が有する各注出ポンプを駆動することによって、第１の導入管および第２の導入管に導入されるが、電解生成混合水を注出する場合には、電解生成酸性水は第１の導入管に、電解生成アルカリ性水は第２の導入管に同時に導入されて、両導入管の連結部位が完全に連通状態にあると、電解生成酸性水と電解生成アルカリ性水は、導出管に導入される前に当該連結部位にて互いに衝突することになる。
【００１５】
第１の導水管および第２の導水管に導水される電解生成酸性水および電解生成アルカリ性水は、各注出ポンプの影響を受けて導入圧および導入量に変動をきたし、衝突時の差圧によって、電解生成酸性水および電解生成アルカリ性水のいずれか一方のみが導出管に導入され、または、電解生成酸性水および電解生成アルカリ性水のいずれか一方がわずかに逆流する現象が発生する。このため、当該現象が発生すると、電解生成混合水を注出し得ないことになり、または、設定された混合率の安定した特性の電解生成混合水を注出し得ないことになる。
【００１６】
しかしながら、本発明に係る電解水注出装置においては、第１の導入管と前記第２の導入管の連結部位に、第１の導入管と前記第２の挿入管内を直交状に延びて導出管の基端部内に臨んで両導入管の互いの連通を遮断する遮断部材を備えている。このため、当該遮断部材が第１の導入管に導入された電解生成酸性水と第２の導入管に導入された電解生成アルカリ性水との衝突を阻止し、電解生成酸性水と電解生成アルカリ性水とは、同期して導出管に円滑に導入されることになる。この場合、電解生成酸性水と電解生成アルカリ性水に差圧があると、電解生成酸性水と電解生成アルカリ性水とは互いに吸引しあって、導出管に円滑に導入されることになる。この結果、注出口からは、設定された混合率の安定した特性の電解生成混合水を注出することができる。
【００１７】
一方、電解生成酸性水および電解生成アルカリ性水のいずれか一方を選択的に注出する場合、両導入管の連結部位が完全に連通状態にあると、例えば、電解生成酸性水を注出する場合には、第１の導入管に導入された電解生成酸性水の一部が導出管に導入されるとともに、残りが第２の導入管に導入されて、当該連結部位に乱流が発生する。電解生成アルカリ性水を注出する場合には、第２の導入管に導入された電解生成アルカリ性水の一部が導出管に導入されるとともに、残りが第１の導入管に導入されて、当該連結部位に乱流が発生する。当該連結部位で乱流現象が発生すると、電解生成酸性水や電解生成アルカリ性水の注出口が吐出する吐出圧が常時変動して、電解生成酸性水や電解生成アルカリ性水を安定した状態で円滑に注出することができない。
【００１８】
しかしながら、本発明に係る電解水注出装置においては、当該連結部位に設けてある遮断部材が電解生成酸性水の第２の導入管への導入を阻止し、また、電解生成アルカリ性水の第１の導入管への導入を阻止する。この結果、電解生成酸性水は第１導入管から導出管に円滑に導入されることになり、また、電解生成アルカリ性水は第２の導入管から導出管に円滑に導入されることになって、当該連結部位での乱流現象の発生は阻止され、電解生成酸性水や電解生成アルカリ性水は常時安定した状態で円滑に注出されることになる。
【００１９】
本発明に係る電解水注出装置においては、第１の導入管と第２の導入管が連結する連結部位に、外部から貫通して導出管の基端部内に臨んで同導出管内に水を供給する水導入管を備える構成とすれば、電解生成酸性水や電解生成アルカリ性水の導出管への導入の有無にかかわらず、必要時には、水導入管を通して水を導出管に安定した状態で円滑に導入することができる。
【００２０】
必要時とは、電解生成酸性水による殺菌洗浄終了後にシンク等を水洗浄する場合、注出される電解生成酸性水を水で薄めて殺菌作用を若干弱めた状態で殺菌洗浄する場合、注出される電解生成アルカリ性水を水で薄めて洗浄作用を若干弱めた状態でアルカリ洗浄する場合等である。この場合には、水導入管を通して、水を導出管に安定した状態で円滑に導入することができる。なお、水の導入が不要な場合は、水導入管の外側開口端を閉鎖しておき、必要により、水導入管の外側開口部を開放して、例えば水源である水道管に連結するようにする。
【図面の簡単な説明】
【００２１】
【図１】本発明の一実施形態に係る電解水注出装置および同電解水注出装置に連結する電解水生成装置の外観を示す斜視図である。
【図２】同電解水生成装置の構成を概略的に示す構成図である。
【図３】同電解水注出装置を構成する水系管路を概略に示す管路図である。
【図４】同電解水注出装置の平面図である。
【図５】同電解水注出装置の水系管路を横断した状態の平面図（ａ）、および、同図（ａ）における矢印Ｄで示す部位の部分拡大図（ｂ）である。
【図６】同電解水注出装置における図４の矢印６−６線に沿って切断した縦断側面図である。
【図７】同電解水注出装置における管路の要部の横断面図（ａ）、同図（ａ）を下方から見た平面図（ｂ）である。
【図８】同電解水注出装置のノズル機構を構成するキャップノズルを示す表面側からみた正面図（ａ）、側面図（ｂ）、縦断面図（ｃ）、および、背面側から見た斜視図（ｄ）である。
【発明を実施するための形態】
【００２２】
本発明は、電解水注出装置に関する。図１には、本発明の一実施形態に係る電解水注出装置Ａ、および、当該電解水注出装置Ａに連結されて電解生成水の供給源として機能する電解水生成装置Ｂを示している。また、図２には、当該電解水生成装置Ｂの構成を概略的に示し、図３〜図６には、当該電解水注出装置Ａを示している。
【００２３】
当該電解水注出装置Ａは、洗面台Ｃにおける手洗い用シンクＣ1の上方の起立壁部Ｃ2に取付けられていて、互いに連結されている当該電解水生成装置Ｂにて生成される各電解生成水を手洗い用シンクＣ1内へ注出すべく機能する。当該電解水生成装置Ｂは、自ら生成した各電解生成水を当該電解水注出装置Ａに導入するものであり、当該電解水注出装置Ａの説明に先立って詳細に説明する。
【００２４】
当該電解水生成装置Ｂは、各構成部品を収納するケースに収納してなる装置本体Ｂ1と、電解生成酸性水を貯溜する第１の貯溜タンクＢ2と、電解生成アルカリ性水を貯溜する第２の貯溜タンクＢ3にて構成されている。装置本体Ｂ1は、支持台Ｄの中央部に設置されて取付けられている。また、第１の貯溜タンクＢ2は支持台Ｄにおける装置本体Ｂ1に向かって右側に設置されて取付けられ、第２の貯溜タンクＢ3は支持台Ｄにおける装置本体Ｂ1に向かって左側に設置されて取付けられている。
【００２５】
装置本体Ｂ1を構成する主たる構成部品は、図２に示すように、ケース本体１１内に収納されている軟水器２１、塩水タンク２２、一対の電解槽２３，２４、および、中和槽２５であって、これらの各構成部品はケース本体１１内にて水系管路によって適宜接続されている。ケース本体１１は、前側開口部を開閉扉１２によって開閉可能に閉鎖されている。ケース本体１１の下方の前部には、アウタカバー１３が嵌合して取付けられている。開閉扉１２には、その前面側に操作パネル１４が配設されている。
【００２６】
装置本体Ｂ1を構成する各電解槽２３，２４は有隔膜電解槽であって、槽本体は隔膜にて区画された一対の電解室を備えている。各電解室は、電解運転が所定時間経過した時点で、その極性を正負反転するように制御され、陽極側電解室が陰極側電解室に切換えられるとともに、陰極側電解室が陽極側電解室に切換えられるように構成されている。
【００２７】
電解槽２３，２４を構成する各電解室の上流側には、被電解水の供給管路３１ａ，３１ｂが接続されており、各電解室の下流側には、各電解室にて生成される電解生成水を流出する流出管路３２ａ，３２ｂ、３３ａ，３３ｂがそれぞれ接続されている。各流出管路３２ａ，３２ｂは切換弁４１ａを介して導入管路３２ｃ，３２ｄに接続されており、各流出管路３３ａ，３３ｂは切換弁４１ｂを介して導入管路３３ｃ，３３ｄにそれぞれ接続されている。
【００２８】
電解槽２３側に接続されている導入管路３２ｃは、第１の貯溜タンクＢ2の側部上方に接続されていて、導入管路３２ｃには、電解槽２４側に接続されている導入管路３３ｃが接続されている。また、電解槽２３側に接続されている導入管路３２ｄは、第２電解生成水槽２４側に接続されている導入管路３３ｄに接続されていて、導入管路３３ｄは第２の貯溜タンクＢ3の側部上方に接続されている。
【００２９】
電解槽２３側の導入管路３２ｃは、電解生成酸性水の専用の導入管路であって、各電解槽２３，２４の陽極側電解室にて生成される電解生成酸性水を、第１の貯溜タンクＢ2内に導入すべく機能する。また、電解槽２４側の導入管路３３ｄは、電解生成アルカリ性水の専用の導入管路であって、各電解槽２３，２４の陰極側電解室にて生成される電解生成アルカリ性水を、第２の貯溜タンクＢ3内に導入すべく機能する。
【００３０】
各電解槽２３，２４においては、電解運転時、電解運転が設定された所定の時間継続された時点で、各電解室の極性を正負反転させる制御がなされるが、これと同期して、各切換弁４１ａ，４１ｂが切換動作して、電解槽２３側の各流出管路３２ａ，３２ｂと各導入管路３２ｃ，３２ｄとの接続関係が変更されるとともに、電解槽２４側の各流出管路３３ａ，３３ｂと各導入管路３３ｃ，３３ｄとの接続関係が変更される。
【００３１】
これにより、各電解槽２３，２４の各陽極側電解室にて生成される電解生成酸性水は、常に、導入管路３２ｃを通って第１の貯溜タンクＢ2に導入され、また、各電解槽２３，２４の各陰極側電解室にて生成される電解生成アルカリ性水は、常に、導入管路３３ｄを通って第２の貯溜タンクＢ3内に導入されることになる。
【００３２】
各電解槽２３，２４に供給される被電解水は、軟水器２１を通って軟水化された原水に塩水タンク２２から設定された量の塩水を、パルスポンプ４２ａにて供給することによって調製される。水道管等の給水源に接続されている給水管路３４には、減圧弁４３ａおよび軟水器２１が介装されていて、給水管路３４の分岐管路部が塩水タンク２２に接続されている。分岐管路部には、開閉弁４３ｂが介装されている。
【００３３】
塩水タンク２２は、被電解水を調製するための濃塩水をタンク内で調製するもので、調製された濃塩水は、塩水供給管路３５を通して給水管路３４に供給される。塩水タンク２２内には、常時、例えば食塩等の塩が収容されていて、給水管路３４から供給される原水によって、飽和食塩水等の飽和塩水が調製される。当該飽和塩水は、被電解水を調製するために、給水管路３４内に供給される。塩水タンク２２は、塩水供給管路３５を介して給水管路３４の途中に接続されていて、塩水の供給管路３５には、パルスポンプ４２ａが介装されている。
【００３４】
当該水系管路においては、給水管路３４内に軟水化された原水が設定された所定の流量で流動し、流動する原水に塩水タンク２２にて調製された所定の高濃度の塩水が、パルスポンプ４２ａにて設定された所定量継続して供給される。これにより、給水管路３４内にて被電解水（設定された所定濃度の希薄塩水）が調製され、調製された被電解水は、被電解水の供給管路３１ａ，３１ｂを通って各電解槽２３，２４に供給される。各電解槽２３，２４に供給された被電解水は、各電解槽２３，２４を流動する間に、各電解槽２３，２４の電解室内にて有隔膜電解される。
【００３５】
なお、当該電解水生成装置Ｂにおいては、各電解槽２３，２４を同時に電解運転することができるとともに、各電解槽２３，２４のいずれか一方を選択して電解運転することができる。このため、被電解水の供給管路３１ａ，３１ｂには、開閉弁４３ｃ，４３ｄがそれぞれ介装されていて、各電解槽２３，２４を同時に電解に供する場合には、各開閉弁４３ｃ，４３ｄを開いた状態として、各電解槽２３，２４に被電解水を同時に供給し得るようにする。また、各電解槽２３，２４のいずれか一方の電解槽を電解に供する場合には、各開閉弁４３ｃ，４３ｄのいずれか一方の開閉弁を開いた状態として、一方の電解槽にのみ被電解水を供給し得るようにする。
【００３６】
当該電解水生成装置Ｂが有する中和槽２５は、寒水石等の中和剤が収容されているもので、余剰の電解生成酸性水を中和処理して、塩素ガスが発生しない中性の処理済み液として排水すべく機能する。中和槽２５には、各貯溜タンクＢ2，Ｂ3が有するオーバーフローパイプｂ1，ｂ2に接続する流出管路３６ａ，３６ｂが接続されている。これにより、第１の貯溜タンクＢ2内にてオーバーフローパイプｂ1を通ってオーバーフローする電解生成酸性水は流出管路３６ａを通って中和槽２５内に流入し、中和槽２５内の中和剤にて中和処理されて、中性の処理済み液として排水管路３６ｃを通って排水される。
【００３７】
また、第２の貯溜タンクＢ3内にて、オーバーフローパイプｂ2を通ってオーバーフローする電解生成アルカリ性水は、流出管路３６ｂを通って中和槽２５内に流入するが、中和槽２５内では中和剤とは反応することなく、そのままの状態で排水管路３６ｃを通って排水されることになる。
【００３８】
当該電解水生成装置Ｂにおいては、第１の貯溜タンクＢ2内に貯溜されている電解生成酸性水は第１注出管路３７ａを通して注出されて、第１注出管路３７ａに接続されている第１導入管路３８ａを通して、洗面台Ｃに配設されている電解水注出装置Ａに導入されるようになっている。また、第２の貯溜タンクＢ3内に貯溜されている電解生成アルカリ性水は第２注出管路３７ｂを通して注出されて、第２注出管路３７ｂに接続されている第２導入管路３８ｂを通して、洗面台Ｃに配設されている電解水注出装置Ａに導入されるようになっている。
【００３９】
第１注出管路３７ａは、第１の貯溜タンクＢ2の下方の前側部にて接続されていて、ケース本体１１の下方の前側部に沿って延びてケース本体１１の下方の前側部を貫通し、ケース本体１１の底部に沿って後方に延び、後方にて、ケース本体１１内を上方に延びてケース本体１１の上方の右側部に設けた吐出口部に接続されている。吐出口部には、当該電解水生成装置の設置時に、第１導入管路３８ａが接続される。また、第２注出管路３７ｂは、第２の貯溜タンクＢ3の下方の前側部に接続されていて、ケース本体１１の下方の前側部に沿って延びてケース本体１１の下方の前側部を貫通し、ケース本体１１の底部に沿って後方に延び、後方にて、ケース本体１１内を上方に延びてケース本体１１の上方の左側部に設けた吐出口部に接続されている。当該吐出口部には、当該電解水生成装置Ｂの設置時に、第２導入管路３８ｂが接続される。
【００４０】
しかして、第１注出管路３７ａには、注出ポンプ４２ｂと開閉弁４３ｅが介装されており、また、第２注出管路３７ｂには、注出ポンプ４２ｃと開閉弁４３ｆが介装されている。当該電解水生成装置Ｂにおいては、第１注出管路３７ａの開閉弁４３ｅを開いた状態で、注出ポンプ４２ｂを駆動すれば、第１の貯溜タンクＢ2内に貯溜する電解生成酸性水が第１注出管路３７ａを通って注出されて消費者に供される。また、第２注出管路３７ｂの開閉弁４３ｆを開いた状態で、注出ポンプ４２ｃを駆動すれば、第２の貯溜タンクＢ3内に貯溜する電解生成アルカリ性水が第２注出管路３７ｂを通って注出されて消費者に供される。
【００４１】
当該電解水生成装置Ｂにおいては、各注出ポンプ４２ｂ，４２ｃは、第１注出管路３７ａ，３７ｂにおけるケース本体１１内の部位に介装されており、各開閉弁４３ｅ，４３ｆは、各注出管路３７ａ，３７ｂにおけるケース本体１１の下方の前側部に沿って延びる部位の中間部に介装されている。各開閉弁４３ｅ，４３ｆは、レバーの回動操作により開閉するレバー回動式の開閉弁であって、レバーが管路部の頂部に位置するように介装されている。
【００４２】
このため、開閉弁４３ｅ，４３ｆのレバーを管路部の頂部にて水平に回動操作すれば、開閉弁４３ｅ，４３ｆを開閉することができる。当該電解水生成装置Ｂでは、当該レバーが管路部に沿う平行位置にある状態が開閉弁４３ｅ，４３ｆが開いている状態に設定されていて、当該レバーを回動して管路部に対して略直交する交差状態にした状態で開閉弁４３ｅ，４３ｆが閉じるようになっている。各注出管路３７ａ，３７ｂのおける開閉弁４３ｅ，４３ｆが介装されている管路部は、ケース本体１１における下方の前側部に脱着可能に嵌合させたアンダカバー１３にて覆蓋されて保護されている。
【００４３】
当該電解水生成装置Ｂは、図示しない制御装置を装備している。当該制御装置は、当該電解水生成装置Ｂの電解運転、各貯溜タンクＢ2，Ｂ3内への各電解生成水の導入、各貯溜タンクＢ2，Ｂ3からの各電解生成水の注出、および、中和槽２５における中和処理を制御することを基本構成としている。制御装置はマイクロコンピュータであって、ＣＰＵおよび駆動回路を備えている。
【００４４】
制御装置は、開閉扉１２の前面側に設けた操作パネル１４に配設されている操作スイッチ、押しボタン等の操作によって、電解指令、注出指令、中和剤等の補充指令等を受けて、電解運転、注出運転等の制御を行い、また、中和剤等の補充を認知させるべく警告ランプを点滅させる。当該制御装置は、以上の機能を備えることを基本構成としている。
【００４５】
制御装置は、電解運転時には、パルスポンプ４２ａを駆動して給水管路３４内を流動する軟水化された原水に、設定された濃度の高濃度塩水を設定された量だけ継続して供給して、設定された濃度の希薄塩水（被電解水）を調製する。また、制御装置は、電解運転時、運転者の電解モードの選択の指令に基づき開閉弁４３ｃ，４３ｄを開閉動作して、各電解槽２３，２４の同時の電解運転と、各電解槽２３，２４のいずれか一方の選択的な電解運転との電解モードを選択する。
【００４６】
制御装置は、電解運転時、電解槽２３，２４の各電解室の極性の正負反転の指令に基づき、各電解室のうち、陽極側電解室を陰極側電解室に、陰極側電解室を陽極側電解室に変更し、これに同期して、切換弁４１ａ，４１ｂを切換動作させる。これにより、制御装置は、電解槽２３，２４の陽極側電解室にて生成された電解生成酸性水を、常に導入管路３２ｃを通して第１の貯溜タンクＢ2内に導入させ、また、電解槽２３，２４の陰極側電解室にて生成された電解生成アルカリ性水を、常に導入管路３３ｄを通して第２の貯溜タンクＢ3内に導入させる。
【００４７】
各貯溜タンクＢ2，Ｂ3内にはフロートスイッチｂ3，ｂ4が配設されていて、オーバーフローパイプｂ1，ｂ2と共働して、満タン時の各貯溜タンクＢ2，Ｂ3内の電解生成水を設定された一定量に維持する。電解生成酸性水と電解生成アルカリ性水は、電解運転時には同期的に生成されて、各貯溜タンクＢ2，Ｂ3内には略同量導入される。
【００４８】
制御装置は、各貯溜タンクＢ2，Ｂ3内に貯溜された各電解生成水が同量となって、両フロートスイッチｂ3，ｂ4が満タンに達したことを検知した場合には、電解槽２３，２４の電解運転を停止する。また、制御装置は、各貯溜タンクＢ2，Ｂ3の少なくとも一方の貯溜タンク内の電解生成水が設定された所定量消費された場合、これを検知したフロートスイッチの検出信号に基づき電解運転を再開して、両貯溜タンクＢ2，Ｂ3内に各電解生成水を導入して補充する。
【００４９】
制御装置は、ユーザによる電解生成水の注出指令に基づき、消費者が選択した電解生成水側の注出ポンプを駆動して、選択された電解生成水を専用の注出管路を通して注出させる。制御装置は、ユーザが電解生成酸性水を選択した場合には、注出ポンプ４２ｂを駆動して、第１の貯溜タンクＢ2内の電解生成酸性水を注出管路３７ａを通して注出し、また、ユーザが電解生成アルカリ性水を選択した場合には、注出ポンプ４２ｃを駆動して、第２の貯溜タンクＢ3内の電解生成アルカリ性水を注出管路３７ｂを通して注出する。さらにまた、ユーザが電解生成混合水を選択した場合には、両注出ポンプ４２ｃ，４２ｄを同時に駆動して、第１の貯溜タンクＢ2内の電解生成酸性水、および、第２の貯溜タンクＢ3内の電解生成アルカリ性水を同時に注出する。
【００５０】
電解生成水の注出運転については、所定時間経過した時点で自動的に停止させることができるとともに、ユーザの手動による停止操作によっても停止させることができる。各電解生成水の注出運転については、後述する電解水注出装置Ａの構成の詳細な説明と併せて、詳細に説明する。
【００５１】
ところで、当該電解水生成装置Ｂにおいては、第１の貯溜タンクＢ2内に貯溜されている電解生成酸性水の消費量と、第２の貯溜タンクＢ3内に貯溜されている電解生成アルカリ性水の消費量とに差が生じて、両貯溜タンクＢ2，Ｂ3の一方のみの電解生成水が設定された所定の消費量に達する場合がある。当該貯溜タンクを便宜上空タン状態にある貯溜タンクと称する。この場合には、貯溜タンクが空タン状態になったことをフロートスイッチが検出すると、制御装置はその検出信号に基づき電解運転を開始して、両貯溜タンクＢ2，Ｂ3内に各電解生成水を導入する。
【００５２】
このため、各貯溜タンクＢ2，Ｂ3内には各電解生成水が導入されて貯溜タンクＢ2，Ｂ3内が満タン状態となるが、空タンク状態を呈していなかった貯溜タンクの方が、空タンク状態を呈していた貯溜タンクよりも先に満タン状態となる。この結果、先に満タン状態となった貯溜タンクからは、その後に導入される電解生成水に応じて、余剰の電解生成水がオーバーフローパイプからオーバーフローして排水管路を通して中和槽２５内に流入することになる。
【００５３】
例えば、第１の貯溜タンクＢ2内が早く満タン状態となった場合には、第１の貯溜タンクＢ2内の電解生成酸性水が排水管路３６ａを通って中和槽２５内に流入し、中和槽２５内に収容されている寒水石等の中和剤にて中和処理されて、中性の処理済み液として排水管路３６ｃを通して排水される。また、第２の貯溜タンクＢ3内が早く満タン状態となった場合には、第２の貯溜タンクＢ3内の電解生成アルカリ性水が排水管路３６ｂを通って中和槽２５内に流入し、中和剤とは反応することなく、そのまま排水管路３６ｃを通して排水される。
【００５４】
従って、電解生成酸性水が第１の貯溜タンクＢ2内から流入して中和槽２５内に流入する場合には、中和槽２５内に収容されている中和剤は、第１の貯溜タンクＢ2内から流入する電解生成酸性水の量に応じて消費されることになり、中和剤が所定量消費された時点では、中和剤を中和槽２５内に補充する必要がある。しかしながら、当該電解水生成装置Ｂにおいては、中和槽２５は開閉扉１２に閉鎖されているケース本体１１内に配設されていることから、中和槽２５内の中和剤の量を外部から視認することは困難であり、中和剤の補充タイミングを失することが起こり得る。
【００５５】
当該電解水生成装置Ｂでは、かかる問題に対処すべき手段を備えている。当該電解水生成装置Ｂが装備する制御装置には、中和剤の消費量を中和槽２５内に流入された電解生成酸性水の量から算出する機能と、中和剤が設定量消費されたことを認知させる認知手段を駆動する機能を持たせている。さらに、当該制御装置には、中和槽２５内の中和剤が設定量消費されたことを認知させる認知手段を駆動させ、かつ、中和剤が設定された消費量限界に達したときには有隔膜電解槽２３，２４の電解運転を停止させる機能をも持たせている。
【００５６】
当該電解水生成装置Ｂにおいては、制御装置は、第１の貯溜タンクＢ内が満水になったことを検出したフロートスイッチｂ3からの検出信号に基づき、満水時点からの電解運転の継続時間と電解生成水の生成流量から中和槽２５内に流入した余剰の電解生成酸性水の水量を算出するとともに、余剰の電解生成酸性水量から中和槽２５内の中和剤の消費量を算出する。刻々算出される中和剤の消費量が設定された消費量に達した時点で、制御装置は操作パネル１４に設置されている認知手段、例えば警告ランプを点滅して、当該電解水生成装置Ｂの管理者に、中和剤を補充すべきタイミングを認知させる。
【００５７】
このため、当該管理者は、当該警告ランプの点滅により中和剤の補充タイミングを認知して、中和槽２５内に所定量の中和剤を補充する。これにより、中和槽２５内に中和剤が存在しない状態での電解運転を回避することができる。なお、当該電解水生成装置Ｂでは、認知手段として警告ランプを使用しているが、認知手段としては公知の適宜の警告手段を採ることができ、例えば、警告ブザー等は認知手段としては極めて有効である。
【００５８】
また、当該管理者が当該警告ランプの点滅に気付かず、または、当該警告ランプの点滅を認知したにも関わらず中和剤の補充を忘れる場合があり、この場合には、制御装置は以下のように機能する。制御装置は、中和槽２５内の中和剤が設定された所定の消費量に達した後に、中和剤が消費量限界に達したときには、有隔膜電解槽２３，２４の電解運転を緊急停止させる。これにより、中和槽２５内に中和剤が存在しない状態での電解運転を確実に回避することができる。
【００５９】
本発明の一実施形態に係る電解水注出装置Ａは、電解水生成装置Ｂにて生成される電解生成酸性水、電解生成アルカリ性水を選択的に、かつ、電解生成酸性水と電解生成アルカリ性水を混合して電解生成混合水として、これを選択的に注出させる注出機能を備えている。
【００６０】
当該電解水注出装置Ａは、本体ケース５０ａ内に装置本体６０を収納してなるもので、装置本体６０は、図３，５，６に示すように、電解生成酸性水が導入される第１の導入管６１ａと、電解生成アルカリ性水が導入される第２の導入管６１ｂと、これら両導入管６１ａ，６１ｂの連結部位に直交状に連結する導出管６１ｃからなる水系管路を備えている。
【００６１】
第１の導入管６１ａは、電解生成酸性水を注出する第１注出管路３７ａに接続されている第１導入管路３８ａに継手６２ａを介して接続される第１導入管部６１ａ1と、第１導入管部６１ａ1に継手６２ｂを介して接続された第２導入管６１ａ2にて形成されている。また、第２の導入管６１ｂは、電解生成アルカリ性水を注出する第２注出管路３７ｂに接続されている第２導入管路３８ｂに継手６２ｃを介して接続される第１導入管部６１ｂ1と、第１導入管部６１ｂ1に継手６２ｄを介して接続された第２導入管部６１ｂ2とからなる。
【００６２】
第１の導入管６１ａにおいては、第１導入管部６１ａ1の途中に第１の電磁開閉弁６３ａが介装されており、また、第２の導入管６１ｂにおいては、第１導入管部６１ｂ1の途中に第２の電磁開閉弁６３ｂが介装されている。各電磁開閉弁６３ａ，６３ｂは、各第２導入管部６１ａ1，６１ｂ2に対する各電解生成水の導入を断続すべく機能する。
【００６３】
また、注出管６１ｃは、第１の導入管６１ａの第２導入管部６１ａ2と第２の導入管６１ｂの第２導入管部６１ｂ2の連結部位に直交状に連結する第１導出管部６１ｃ1と、第１導出管部６１ｃ1に継手６２ｅを介して接続された第２導出管部６１ｃ2にて形成されている。第２導出管部６１ｃ2の先端部には、本体ケース５０ａの下端開口部に取付けられているノズルケース５０ｂに収納されているノズル機構７０が連結される。
【００６４】
かかる構成の水系管路においては、図５に示すように、第１の導入管６１ａの第２導入管部６１ａ2と、第２の導入管６１ｂの第２導入管部６１ｂ2と、導出管６１ｃの第１導出管部６１ｃ1の３者は、合成樹脂を成形材料として一体的に形成されていて、Ｔ字状の水系管路を形成している。従って、第１の導入管６１ａの第２導入管部６１ａ2と、第２の導入管６１ｂの第２導入管部６１ｂ2とは互いに対向して連通し、また、導出管６１ｃの第１導出管部６１ｃ1は両導入管部６１ａ2，６１ｂ2の連結部位にて直交状に対向して連通している。
【００６５】
当該水系管路を構成する第１の導入管６１ａの第２導入管部６１ａ2，第２の導入管６１ｂの第２導入管部、および、導出管６１ｃの第１導出管部６１ｃ1が互いに連結する連結部位には、合成樹脂を成形材料とする遮蔽部材６４がこれらの管部と一体に形成されている。遮蔽部材６４は、図５および図７に示すように、円筒管６４ａの前後の外周面に一対のフランジ部６４ｂを有するもので、各フランジ部６４ｂは当該連結部位の内周面の前後に固着し、円筒管６４ａは当該連結部位を貫通した状態にある。
【００６６】
この状態で、遮断部材６４を構成する円筒管６４ａおよび両フランジ部６４ｂは、当該連結部位を構成する導出管６１ｃの第１導出管部６１ｃ1における基端部（先端部）内に臨んでいる。
【００６７】
これにより、遮断部材６４を構成する両フランジ部６４ｂは、第１の導入管６１ａの第２導入管部６１ａ2と第２の導入管６１ｂの第２導入管部６１ｂ2との対向を遮断して、これらの導入管部６１ａ2，６１ｂ2の互いの連通状態を遮断すべく機能する。また、円筒管６４ａにおいては、当該連結部位を貫通して外側へ突出する先端部は、水源からの水を導入する管路に連結可能に構成されていて、必要時には、水導入管として機能する。このため、以下では、円筒管６４ａを水導入管６４ａと称する。
【００６８】
ノズル機構７０は、図６に示すように、ノズルケース５０ｂ内に収納してなる機構本体７０ａと、ノズルケース５０ｂの先端開口部に嵌着されて機構本体７０ａに連結するキャップノズル７０ｂにて構成されている。機構本体７０ａは、略円筒状の支持体７１の中央部に貫通した状態で位置する注出管部７２と、支持体７１に収納されて注出管部７２の外周側に位置する複数の発光ダイオード７３（ＬＥＤ）を備えている。
【００６９】
各ＬＥＤ７３は、互いに異なる色彩を発光するダイオードであって、本実施形態では、３種類の電解生成水を注出することから、異なる色彩に発光する３個のＬＥＤ７３（７３ａ，７３ｂ，７３ｃ）が採用されている。例えば、赤色に発光するＬＥＤ７３ａ、青色に発光するＬＥＤ７３ｂ、黄色に発光するＬＥＤ７３ｃ等が採用される。
【００７０】
各ＬＥＤ７３のＯＮ−ＯＦＦ動作は、電磁開閉弁６３ａ，６３ｂの開閉動作に連動している。例えば、第１のＬＥＤ７３ａは第１の電磁開閉弁６３ａが開成動作するとＯＮして赤色に発光し、閉成動作するとＯＦＦして消灯するように構成されている。第２のＬＥＤ７３ｂは、第２の電磁開閉弁６３ｂが開成動作するとＯＮして青色に発光し、閉成動作するとＯＦＦして消灯するように設定されている。第３のＬＥＤ７３ｃは、両電磁開閉弁６３ａ，６３ｂが共に開成動作するとＯＮして黄色に発光し、共に閉成動作するとＯＦＦして消灯するように構成されている。
【００７１】
キャップノズル７０ｂは、合成樹脂を成形材料として形成された円盤状を呈するものであって、図６および図８に示すように、円盤状の基体７４と、基体７４の中央部に一体に形成されて背面側に所定長さ突出する取付筒部７５と、基体７４における取付筒部７５より所定距離外周にて一体に形成されて背面側に突出する環状壁部７６を備えている。環状壁部７６の背面側の端部は３段状に形成されていて、機構本体７０ａの先端部に斜めに取付けられた状態で上側位置となる部位７６ａは最も低く（低段部位）、下側位置となる部位７６ｂは最も高く（高段部位）、中間位置となる部位７６ｃが中間の高さ（中段部位）となっている。
【００７２】
当該キャップノズル７０ｂにおいては、基体７４における取付筒部７５と環状壁部７６の間に、多数の注出穴７７ａ1，７７ａ2が２列に形成され、また、環状壁部７６の外側の部位に多数の空気導入穴７７ｂ1，７７ｂ2，７７ｂ3が形成されている。注出穴７７ａ1，７７ａ2は、取付筒部７５を中心に２列の格子状に形成されていて、内側に位置する注出穴７７ａ1は外側に位置する注出穴７７ａ2に比較して大きく開口している。また、環状壁部７６の外側に位置する各空気導入穴７７ｂ1，７７ｂ2，７７ｂ3は、環状壁部７６の低段部位７６ａでは大きい開口（７７ｂ1）に、中断部位７６ｃでは中程度の開口（７７ｂ2）に、高段部位７６ｂでは小さい開口（７７ｂ3）に形成されている。
【００７３】
当該キャップノズル７０ｂは、機構本体7０ａを収納しているノズルケース５０ｂの先端開口部に嵌合された状態で、取付筒部７５を先端側から挿入した取付ボルト７８を注出管部７２の先端に螺着することによって、機構本体７０ａに取付けられる。
【００７４】
キャップノズル７０ｂをこのように機構本体７０ａに取付けられた状態では、注出管部７２に導入された各電解生成水は、キャップノズル７０ｂの基体７４に設けた多数の注出穴７７ａ1，７７ａ2から噴射され、この際、電解生成水の噴射力に起因する吸引作用にて、基体７４に設けた多数の空気導入穴７７ｂ1，７７ｂ2，７７ｂ3から空気が吸引されて噴射直前に電解生成水に混入して、電解生成水を泡沫状に注出噴射させる。
【００７５】
なお、当該キャップノズル７０ｂは、光透過性の合成樹脂を成形原料として形成されているもので、キャップノズル７０ｂの各注出穴７７ａ1，７７ａ2から泡沫状に注出噴射される各電解生成水は、設定されたＬＥＤ７３ａ〜７３ｃが発光する設定された色彩に曝されて、ライトアップ状態を呈することになる。
【００７６】
当該電解水注出装置Ａにおいては、本体ケース５０ａの上側面に、注出装置専用の操作パネル５０ｃが設けられている。操作パネル５０ｃは、図４に示すように、ユーザが操作し易い部位に設けられているもので、中央部に注出／停止ボタン５１が設けられている。注出／停止ボタン５１は、電解生成水の注出運転の開始および停止を操作するものであり、その右側および左側にデータ送りボタン５２ａ，５２ｂ、データ送りボタン５２ａの右側にデータ設定ボタン５３ａ、データ送りボタン５２ｂの左側に注出切換ボタン５３ｂが設けられている。  
【００７７】
データ設定ボタン５３ａは、定量注出の注出量等を設定するボタンであり、データ送りボタン５２ａ，５２ｂは、データ設定時、および、「自動注出」モード、「電解生成酸性水の注出」モード、「電解生成アルカリ性水の注出」モード、「電解生成混合水の注出」モードの送りボタンである。
【００７８】
注出切換ボタン５３ｂは、定量注出モードおよび手動注出モードを互いに切換えるボタンであり、注出切換ボタン５３ｂにて定量注出モードに切換えた際には、定量表示ランプ５４が点灯する。なお、注出／停止ボタン５１の左右の肩部に配設されているランプ５５ａ，５５ｂは、注出／停止ボタン５１の操作により注出を選択した場合の選択表示ランプであって、右側が電解生成酸性水を選択した場合に点灯する選択表示ランプ５５ａ、左側が電解生成アルカリ性水を選定した場合に点灯する選択表示ランプ５５ｂである。
【００７９】
一方、これらのボタン類およびランプ類の後列側には、タイマー表示部５６が設けられていて、タイマー表示部５６の右側には実行中の電解生成酸性水の注出モードを点灯して表示する注出モード表示ランプ５７ａが、左側には実行中の電解生成アルカリ性水の注出モードを点灯して表示する注出モード表示ランプ５７ｂが設けられている。
【００８０】
また、注出モード表示ランプ５７ｂの左側には自動注出モードを点灯して表示する注出モード表示ランプ５７ｃが、注出モード表示ランプ５７ａの右側には電解生成混合水の注出モードを点灯して表示する注出モード表示ランプ５７ｄが、注出モード表示ランプ５７ｄの右側には水の注出モードを点灯して表示する注出表示ランプ５７ｅが設けられている。タイマー表示部５６は、電解生成水の注出のカウントアップが表示される。
【００８１】
また、本体ケース５０ａの左右の側部には、図４に示すように、モーションセンサ６５ａ，６５ｂがそれぞれ設けられている。右側のモーションセンサ６５ａは電解生成酸性水の注出を選択するセンサであり、左側のモーションセンサ６５ｂは電解生成アルカリ性水の注出を選択するセンサである。ユーザが手をモーションセンサに翳した際に動作して、ユーザの選択した電解生成水を検知する。
【００８２】
ユーザが手をモーションセンサ６５ａに翳すと、モーションセンサ６５ａはユーザが電解生成酸性水の注出を選択したもとして、注出モード表示ランプ５５ａを点灯させる。ユーザは、この状態で注出／停止ボタン５１を押動操作すると、電解生成酸性水が注出され、同時に表示ランプ５７ａが点灯して、注出されている電解生成水が電解生成酸性水であることを表示する。
【００８３】
また、ユーザが手をモーションセンサ６５ｂに翳すと、モーションセンサ６５ｂはユーザが電解生成アルカリ性水の注出を選択したもとして、注出モード表示ランプ５５ｂを点灯させる。ユーザは、この状態で注出／停止ボタン５１を押動操作すると、電解生成アルカリ性水が注出され、同時に表示ランプ５７ｂが点灯して、注出されている電解生成水が電解生成アルカリ性水であることを表示する。
【００８４】
当該電解水注出装置Ａにおいては、電解生成水の注出運転は、搭載されている制御装置によって制御される。当該電解水注出装置Ａにおいては、ユーザが電解生成酸性水の注出を選択した場合には、第１の電磁開閉弁６３ａが開成動作するとともに、これに連動してＬＥＤ７３ａがＯＮして赤色に発光し、さらには、これに同期して、電解水生成装置Ｂ側の注出ポンプ４２ｂが駆動する。
【００８５】
これにより、電解生成酸性水は、第１の貯溜タンクＢ2から第１注出管路３７ａおよび第１導入管路３８ａを通って、当該電解水注出装置Ａの第１の導入管６１ａ内に導入されるとともに、第１の導入管６１ａから導出管６１ｃに導入されて、キャップノズル７０ｂの注出管部７２を経て多数の注出穴７７ａ1，７７ａ2から噴射される。
【００８６】
この際、キャップノズル７０ｂが有する多数の空気導入穴７７ｂ1〜７７ｂ3からは、電解生成酸性水の注出力による吸引作用にて、空気が噴射直前の電解生成酸性水に吸入されて混合し、電解生成酸性水は泡沫状となって注出されて噴射される。泡沫状態で注出噴射する電解生成酸性水は、ＬＥＤ７３ａが発光する赤色に曝されてライトアップされる。
【００８７】
一方、ユーザが電解生成アルカリ性水の注出を選択した場合には、第２の電磁開閉弁６３ｂが開成動作するとともに、これに連動してＬＥＤ７３ｂがＯＮして青色に発光し、さらには、これに同期して、電解水生成装置Ｂ側の注出ポンプ４２ｃが駆動する。これにより、電解生成アルカリ性水は、第２の貯溜タンクＢ3から第２注出管路３７ｂおよび第２導入管路３８ｂを通って、当該電解水注出装置Ａの第２の導入管６１ｂ内に導入されるとともに、第２の導入管６１ｂから導出管６１ｃに導入されて、キャップノズル７０ｂの注出管部７２を経て多数の注出穴７７ａ1，７７ａ2から噴射される。
【００８８】
この際には、電解生成酸性水が注出噴射する場合と同様に、キャップノズル７０ｂが有する多数の空気導入穴７７ｂ1〜７７ｂ3からは、電解生成アルカリ性水の注出力による吸引作用にて、空気が噴射直前の電解生成アルカリ性水に吸入されて混合し、電解生成アルカリ性水は泡沫状となって注出されて噴射される。泡沫状態で噴射する電解生成アルカリ水は、ＬＥＤ７３ｂが発光する青色に曝されてライトアップされる。
【００８９】
また、ユーザが電解生成酸性水と電解生成アルカリ性水とが混合した電解生成混合水（次亜塩素酸ナトリウム水溶液）の注出を選択した場合には、第１、第２の電磁開閉弁６３ａ，６３ｂが同時に開成動作するとともに、これに連動してＬＥＤ７３ｃがＯＮして黄色に発光し、さらにはこれに同期して、電解水生成装置Ｂ側の注出ポンプ４２ｂ，４２ｃが同時に駆動する。
【００９０】
これにより、電解生成酸性水は第１の貯溜タンクＢ2から第１注出管路３７ａおよび第１導入管路３８ａを通って、当該電解水注出装置Ａの第１の導入管６１ａ内に導入され、第１の導入管６１ａから導出管６１ｃに導入される。また、電解生成アルカリ性水はこれに同期して、第２の貯溜タンクＢ3から第２注出管路３７ｂおよび第２導入管路３８ｂを通って、当該電解水注出装置Ａの第２の導入管６１ｂ内に導入され、第２の導入管６１ｂから導出管６１ｃに導入される。導出管６１ｃに導入された電解生成酸性水と電解生成アルカリ性水は、導入直後に合体して均一に混合して、電解生成混合水として、キャップノズル７０ｂの注出管部７２を経て多数の注出穴７７ａ1，７７ａ2から注出噴射される。
【００９１】
この際には、電解生成酸性水や電解生成アルカリ性水が注出噴射される場合と同様に、キャップノズル７０ｂが有する多数の空気導入穴７７ｂ1〜７７ｂ3からは、電解生成混合水の注出力による吸引作用にて、空気が噴射直前の電解生成混合水に吸入されて混合し、電解生成混合水は泡沫状となって注出されて噴射される。泡沫状態で注出噴射する電解生成混合は、ＬＥＤ７３ｃが発光する黄色に曝されてライトアップされる。
【００９２】
なお、各ＬＥＤ７３ａ，７３ｂ，７３ｃのＯＮ−ＯＦＦ動作は、電磁開閉弁６３ａ，６３ｂの開閉動作に連動していて、ＬＥＤ７３ａは上記したように、第１の電磁開閉弁６３ａが開成動作するとＯＮして赤色に発光し、閉成動作するとＯＦＦして消灯する。また、ＬＥＤ７３ｂは上記したように、第２の電磁開閉弁６３ｂが開成動作するとＯＮして青色に発光し、閉成動作するとＯＦＦして消灯するように設定されている。また、ＬＥＤ７３ｃは上記したように、第１、第２の電磁開閉弁６３ａ，６３ｂが同時に開成動作するとＯＮして黄色に発光し、同時に閉成動作するとＯＦＦして消灯するように設定されている。
【００９３】
当該電解水注出装置Ａの注出運転では、ユーザが定量注出モードを選択している場合には、電解生成水の注出時間が設定されている所定の時間経過すると、注出運転が自動的に停止される。また、ユーザが手動注出モードを選択している場合には、電解生成水の注出時間が所望の時間経過した時点で、ユーザが注出／停止ボタン５１を押動操作する。これにより、注出運転が停止される。また、ユーザが自動注出モードを選択した場合には、先ず、電解生成アルカリ性水が設定された所定時間注出された後、電解生成酸性水の注出に自動的に切換わり、電解生成酸性水が設定された所定時間注出された時点で、注出運転が自動的に停止される。
【００９４】
ところで、当該形式の電解水注出装置においては、電解生成酸性水および電解生成アルカリ性水は、注出ポンプ４２ｂ，４２ｃを駆動することによって、第１の導入管６１ａおよび第２の導入管６１ｂに供給されるが、電解生成混合水を注出する場合には、電解生成酸性水および電解生成アルカリ性水が第１の導入管６１ａおよび第２の導入管６１ｂに同時に導入される。この場合、両導入管６１ａ，６２ｂの連結部位が完全に連通状態にあると、第１の導入管６１ａに導入された電解生成酸性水と、第２の導水管６１ｂに導入された電解生成アルカリ性水は、導出管６１ｃに導入される前にこれらの導入管６１ａ，６１ｂの連結部位にて衝突する。
【００９５】
第１の導水管６１ａおよび第２の導水管６１ｂに導水される電解生成酸性水および電解生成アルカリ性水は、注出ポンプ４２ｂ，４２ｃの影響を受けて導入圧および導入量に変動をきたし、衝突時の差圧によって、電解生成酸性水および電解生成アルカリ性水のいずれか一方のみが導出管６１ｃに導入され、または、電解生成酸性水および電解生成アルカリ性水のいずれか一方がわずかに逆流する現象が発生する。このため、当該現象が発生すると、電解生成混合水を注出し得ないことになり、または、設定された混合率の安定した特性の電解生成混合水を注出し得ないことになる。
【００９６】
しかしながら、本発明に係る電解水注出装置Ａにおいては、第１の導入管６１ａと第２の導入管６１ｂの連結部位に、第１の導入管６１ａと第２の挿入管６１ｂ内を直交状に延びて導出管６１ｃの基端部内に臨んで両導入管６１ａ，６１ｂの互いの連通を遮断する遮断部材６４を設けている。
【００９７】
このため、当該遮断部材６４は、第１の導入管６１ａに導入された電解生成酸性水と第２の導入管６１ｂに導入された電解生成アルカリ性水の当該連結部位での衝突状態を回避して、電解生成酸性水と電解生成アルカリ性水を同時に導出管６１ｃに円滑に導入する。この際、電解生成酸性水と電解生成アルカリ性水は、その差圧により互いに吸引しあって、導出管６１ｃに安定した状態で導入される利点もある。この結果、ノズル機構７０のキャップノズル７０ｂからは、設定された混合率の安定した特性の電解生成混合水を注出噴射することができる。
【００９８】
一方、電解生成酸性水および電解生成アルカリ性水のいずれか一方を選択的に注出する場合には、両導入管６１ａ，６２ｂの連結部位が完全に連通した状態にあると、例えば、電解生成酸性水を注出する場合には、第１の導入管６１ａに導入された電解生成酸性水の一部は導出管６１ｃに導入され、その残りが第２の導入管６１ｂに導入されて、当該連結部位には逆流に起因する乱流が発生する。
【００９９】
電解生成アルカリ性水を注出する場合には、第２の導入管６１ｂに導入された電解生成アルカリ性水の一部が導出管６１ｃに導入され、その残りが第１の導入管６１ａに導入されて、当該連結部位に逆流に起因する乱流が発生する。乱流現象が発生すると、電解生成酸性水や電解生成アルカリ性水のキャップノズル７０ｂが吐出する吐出圧が常時変動することになって、電解生成酸性水や電解生成アルカリ性水を安定した状態で円滑に注出噴射することができない。
【０１００】
しかしながら、本発明に係る電解水注出装置Ａにおいては、当該連結部位に配設した遮断部材６４が電解生成酸性水の第２の導入管６１ｂへの導入を阻止し、また、電解生成アルカリ性水の第１の導入管６１ａへの導入を阻止する。この結果、電解生成酸性水は第１導入管６１ａから導出管６１ｃに円滑に導入されることになり、また、電解生成アルカリ性水は第２の導入管６１ｂから導出管６１ｃに円滑に導入されることになって、当該連結部位での乱流現象の発生は阻止され、電解生成酸性水や電解生成アルカリ性水は安定した状態で円滑に注出されることになる。
【０１０１】
本発明に係る電解水注出装置Ａにおいては、第１の導入管６１ａと第２の導入管６１ｂが連結する連結部位に、外部から貫通して導出管６１ｃの基端部（先端部）内に臨んで導出管６１ｃ内に水を供給する水導入管６４ａを備える構成としている。これにより、電解生成酸性水や電解生成アルカリ性水の導出管６１ｃへの導入の有無にかかわらず、必要により、水導入管６４ａを通して、水を導出管６１ｃに安定した状態で円滑に導入し、水、水で希釈されて電解生成酸性水、または、水で希釈された電解生成アルカリ性水を、キャップノズル７０ｂから注出噴射させることができる。
【０１０２】
必要時とは、電解生成酸性水による殺菌洗浄終了後にシンク等を水洗浄する場合、注出される電解生成酸性水を水で薄めて殺菌作用を若干弱めた状態で殺菌洗浄する場合、注出される電解生成アルカリ性水を水で薄めて洗浄作用を若干弱めた状態でアルカリ洗浄する場合等である。
【０１０３】
この場合には、水導入管６４ａを通して、水を導出管６１ｃに安定した状態で円滑に導入することができる。なお、水の導入が不要な場合は、水導入管６４ａの外側開口端を閉鎖しておき、必要により、例えば水源である水道管に連結して使用するようにする。
【０１０４】
なお、本実施形態では、水導入管６４ａの使用を前提とするもので、水の使用を全く必要としないユーザがいることを考慮して、水導入管６４ａはその先端を予め閉鎖状態に形成されている。水導入管６４ａの使用を必要な場合には、水導入管６４ａの先端を容易に開口することができるように、水導入管６４ａの先端閉鎖部を、合成樹脂を原料として水導入管６４ａと一体に形成している。
【０１０５】
本発明に係る電解水注出装置Ａにおいては、ノズル機構７０を構成するキャップノズル７０ｂを特殊な構造に構成して、電解生成水を注出噴射する場合に不具合を生じないように配慮している。
【０１０６】
当該キャップノズル７０ｂにおいては、円盤状の基体７４と、基体７４の中央部に一体に形成されて背面側に所定長さ突出する取付筒部７５と、基体７４における取付筒部７５より所定距離外周にて一体に形成されて背面側に突出する環状壁部７６を備える構成とし、環状壁部７６の背面側の端部を、機構本体７０ａの先端部に斜めに取付けられた状態で上側位置となる低段部位７６ａと、下側位置となる高段部位７６ｂと、中間位置となる中段部位７６ｃとの３段に形成している。
【０１０７】
このため、当該キャップノズル７０ｂが機構本体７０ａに斜めに取付けられた状態では、環状壁部７６の下側に位置する部位（高段部位７６ｂ）が高くなって、電解生成水の注出噴射時に、電解生成水の空気導入穴７７ｂ3側への漏洩を抑制し得て、電解生成水を安定した泡沫状に注出噴射させることができる。
【０１０８】
また、当該キャップノズル７０ｂにおいては、基体７４における取付筒部７５と環状壁部７６の間に、多数の注出穴７７ａ1，７７ａ2を２列に形成するとともに、内側に位置する注出穴７７ａ1を外側に位置する注出穴７７ａ2に比較して大きく開口させている。これにより、電解生成水の注出時には、キャップノズル７０ｂの中心寄りでの注出流量が多く、流速が早い時でも電解生成水の空気導入穴７７ｂ1〜７７ｂ3側への漏洩を抑制し得て、電解生成水を安定した泡沫状に注出噴射させることができる。
【０１０９】
さらにまた、当該キャップノズル７０ｂにおいては、電解生成水の注出穴７７ａ1，７７ａ2を格子状に形成して長穴状としている。このため、リブの厚みが薄くなって、電解生成水の流速が早い時でも電解生成水の空気導入穴７７ｂ1〜７７ｂ3側への漏洩を抑制し得て、電解生成水を安定した泡沫状に注出噴射させることができる。
【符号の説明】
【０１１０】
Ａ…電解水注出装置、Ｂ…電解水生成装置、Ｂ1…装置本体、Ｂ2…第１の貯溜タンク、Ｂ3…第２の貯溜タンク、ｂ1，ｂ2…オーバーフローパイプ、ｂ3，ｂ4…フロートスイッチ、Ｃ…洗面台、Ｃ1…手洗い用シンク、Ｃ2…起立壁部、Ｄ…支持台、１１…ケース本体、１２…開閉扉、１３…アンダカバー、１４…操作パネル、２１…軟水器、２２…塩水タンク、２３，２４…電解槽、２５…中和槽、３１ａ，３１ｂ…被電解水の供給管路、３２ａ，３２ｂ，３３ａ，３３ｂ…電解生成水の流出管路、３２ｃ，３２ｄ，３３ｃ，３３ｄ…導入管路、３４…給水管路、３５…塩水の供給管路、３６ａ，３６ｂ，３６ｃ…排水管路、３７ａ…第１注出管路、３７ｂ…第２注出管路、３８ａ…第１導入管路、３８ｂ…第２導入管路、４１ａ，４１ｂ…切換弁、４２ａ…パルスポンプ、４２ｂ，４２ｃ…注出ポンプ、４３ａ…減圧弁、４３ｂ，４３ｃ，４３ｄ…開閉弁、４３ｅ，４３ｆ…開閉弁、５０ａ…本体ケース、５０ｂ…ノズルケース、５０ｃ…操作パネル、５１…注出／停止ボタン、５２ａ，５２ｂ…データ送りボタン、５３ａ…データ設定ボタン、５３ｂ…注出切換ボタン、５４…定量表示ランプ、５５ａ，５５ｂ…選定表示ランプ、５６…タイマー表示部、５７ａ，５７ｂ，５７ｃ，５７ｄ，５７ｅ…表示ランプ、６０…装置本体、６１ａ…第１の導入管、６１ａ1…第１導入管部、６１ａ2…第２導入管部、６１ｂ…第２の導入管、６１ｂ1…第１導入管部、６１ｂ2…第２導入管部、６１ｃ…導出管、６１ｃ1…第１導出管部、６１ｃ2…導出管部、６２ａ，６２ｂ，６２ｃ，６２ｄ，６２ｅ…継手、６３ａ…第１の電磁開閉弁、６３ｂ…第２の電磁開閉弁、６４…遮断部材、６４ａ…円筒管（水導入管）、６４ｂ…フランジ部、６５ａ，６５ｂ…モーションセンサ、７０…ノズル機構、７０ａ…機構本体、７０ｂ…キャップノズル、７１…支持体、７２…注出管部、７３（７３ａ，７３ｂ，７３ｃ）…発光ダイオード（ＬＥＤ）、７４…基体、７５…取付筒部、７６…環状壁部、７６ａ…低段部位、７６ｂ…高段部位、７６ｃ…中段部位、７７ａ1，７７ａ2…注出穴、７７ｂ1〜７７ｂ3…空気導入穴、７８…取付ボルト。
【図１】
2011005424.tif 000003
【図２】
2011005424.tif 000004
【図３】
2011005424.tif 000005
【図４】
2011005424.tif 000006
【図５】
2011005424.tif 000007
【図６】
2011005424.tif 000008
【図７】
2011005424.tif 000009
【図８】
2011005424.tif 000010